(57)【特許請求の範囲】
【請求項１】
電池式デバイスと共に使用するための保護回路であって、
過温度検出器と、
コントローラと、
電池セル、電池充電器、および前記電池式デバイスのうちの少なくとも１つの温度を監視するための少なくとも１つの多用途サーミスタを備える分圧回路であって、前記多用途サーミスタは、前記電池セル、前記電池充電器、および前記電池式デバイスのうちの前記少なくとも１つの近くに配置され、前記多用途サーミスタは、前記過温度検出器の入力に動作可能に接続されている、分圧回路と、
を備え、前記過温度検出器の前記入力における入力電圧は、前記電池セル、前記電池充電器、および前記電池式デバイスのうちの前記少なくとも１つの温度の変動に応じて変化し、前記過温度検出器は、前記電池セル、前記電池充電器、および前記電池式デバイスのうちの前記少なくとも１つの温度が所定の値を超えた場合に、前記コントローラに対して、前記電池セルの充電および前記電池セルの放電からなるグループから選択された少なくとも１つのイベントを終了するように信号を送る、保護回路。
【請求項２】
請求項１に記載の保護回路において、前記過温度検出器は、前記保護回路が、最大基準電圧を上回る電池充電電圧を受信した場合、前記コントローラに前記電池セルの充電を終了させる信号を送る、保護回路。
【請求項３】
請求項１に記載の保護回路であって、さらに、
前記サーミスタに動作可能に接続されている温度監視装置、
を備え、該温度監視装置は、前記電池セル、前記電池充電器、および前記電池式デバイスのうちの前記少なくとも１つの温度に相関する温度の値を出力し、該温度の値は前記サーミスタの両端に印加された電圧から導出される、保護回路。
【請求項４】
請求項１に記載の保護回路であって、さらに、
過充電検出器および第１の論理ゲート、
を備え、前記過充電検出器は、前記電池セルの電圧が最大基準電圧よりも高い場合に、前記第１の論理ゲートに対して信号を送り、前記第１の論理ゲートは、前記コントローラに動作可能に接続されている出力と、前記過温度検出器の出力に動作可能に接続されている第１の入力と、前記過充電検出器の出力に動作可能に接続されている第２の入力とを有し、前記第１の論理ゲートは、前記第１の論理ゲートが前記過温度検出器および前記過充電検出器のうちの少なくとも１つから信号を受信した場合に、前記コントローラに対して、前記電池セルの充電を中止するように信号を送る、保護回路。
【請求項５】
請求項１に記載の保護回路であって、さらに、
前記多用途サーミスタに接続された入力を有するデバイス放電検出器、
を備え、前記デバイス放電検出器は、前記電池セルから前記電池式デバイスに印加された電圧が最小基準電圧より低い場合に、前記コントローラに対して、前記電池セルの放電を中止するように信号を送る、保護回路。
【請求項６】
請求項５に記載の保護回路において、前記デバイス放電検出器は、少なくとも１つの特定の状態が発生した場合に、前記コントローラに対して、前記電池セルの放電を中止するように信号を送り、前記特定の状態は、前記電池式デバイスおよび前記電池セル・パックのうちの少なくとも１つへの水の侵入、前記電池式デバイス内での内部回路の故障、前記電池式デバイス内でのソフトウェアの障害、および前記電池式デバイスの外部でのソフトウェアの障害からなるグループから選択されたものである、保護回路。
【請求項７】
請求項５に記載の保護回路であって、さらに、
過放電検出器および第２の論理ゲート、
を備え、前記過放電検出器は、前記電池セルの電圧が、前記最小基準電圧よりも低い場合に、前記第２の論理ゲートに対して信号を送り、前記第２の論理ゲートは、前記コントローラに動作可能に接続されている出力と、前記デバイス放電検出器の出力に動作可能に接続されている第１の入力と、前記過放電検出器の出力に動作可能に接続されている第２の入力とを有し、前記第２の論理ゲートは、前記第２の論理ゲートが前記デバイス放電検出器および前記過放電検出器のうちの少なくとも１つから信号を受信した場合に、前記コントローラに対して、前記電池セルの放電を中止するように信号を送る、保護回路。
【請求項８】
電池式デバイスのデバイス保護を行う方法であって、
少なくとも１つの電池セルの電圧を監視するステップと、
前記少なくとも１つの電池セルの電圧が、前記電池セルを安全に充電することができる最大基準電圧と、前記電池セルを安全に放電することができる最小基準電圧との間にあるかどうかを判定するステップと、
前記少なくとも１つの電池セルの電圧が、最大基準電圧と最小基準電圧との間にない場合、前記電池セルの充電および放電のうちの少なくとも一方を終了するステップと、
前記少なくとも１つの電池セルの電圧が、最大基準電圧と最小基準電圧との間にある場合、サーミスタを使用して、前記電池セル、電池充電器、および前記電池式デバイスのうちの少なくとも１つの温度を監視するステップと、
前記温度が所定の値を超えるかどうかを判定するステップであって、前記所定の値は、前記電池セル、電池充電器、および電池式デバイスのうちの少なくとも１つが過温度状態となる温度である、前記温度が所定の値を超えるかどうかを判定するステップと、
前記温度が所定の値を超える場合、前記電池セルの充電および放電のうちの少なくとも一方を終了するステップと、
前記温度が所定の値を超えない場合、前記サーミスタを使用して、前記電池充電器から電池保護回路に印加された電圧および前記電池保護回路から前記電池式デバイスに供給された電圧のうちの少なくとも一方を監視するステップと、
前記電池保護回路に印加された電圧および前記電池保護回路から供給された電圧の少なくとも一方が最大基準電圧と最小基準電圧との間にあるかどうかを判定するステップと、
前記電池保護回路に印加された電圧および前記電池保護回路から供給された電圧の少なくとも一方が、最大許容電圧と最小許容電圧との間にない場合に、前記電池セルの充電および放電のうちの少なくとも一方を終了するステップと、
を備える方法。
【発明の詳細な説明】
【技術分野】
【０００１】
本発明は、電池の再充電に関し、より詳細には、再充電可能な電池セルのシステムに関する。
【背景技術】
【０００２】
リチウム・イオン電池は、重量が軽く、エネルギー密度が高いために、携帯型電子機器の用途において、ニッケル・カドミウム電池およびニッケル水素蓄電池のような他のタイプの再充電可能な電池よりも広く使用されている。しかしながら、リチウム・イオン電池は、過充電の影響を受けやすく、使用の際に安全性に注意しなければならない。例えば、金属リチウムは、電池セルが過充電されると、電池セル内の電極上に付着する恐れがある。金属リチウムは可燃性であるために、付着したリチウムは火災を起こす恐れがある。他の安全性に関する問題としては、電池セルの温度が非常に高くなると、有毒ガスを放出する等の問題がある。さらに、過放電を行うと、電池セル内の電解質の化学的組成が変化する恐れがあり、このような変化は、電池セルの寿命を有意に短くする恐れがある。
【０００３】
また、電池セルは、水が侵入すると修復不能な損傷を起こすこともある。より詳細に説明すると、水が電池セルに接続されている回路の構成要素を短絡させる恐れがある。短絡が起こると、電池セルから電流サージが流れる恐れがあり、この電流サージが、回路構成要素を損傷し、電池セル自体の内部に壊滅的損傷をもたらす恐れがある。
【発明の開示】
【発明が解決しようとする課題】
【０００４】
それ故、電池セルを正確に監視し、電池セルが確実に安全なパラメータの範囲内で動作するようにする電池保護システムが求められている。
【課題を解決するための手段】
【０００５】
本発明は、電池式デバイスと共に使用するための保護回路に関する。この保護回路は、電池または電池パック、電池充電デバイスまたは電池式デバイスに内蔵させることができる。電池式デバイスは、例えば、ラジオ、携帯電話、コードレス電話、コードレス工具、映像記録デバイス、音声記録デバイス、カメラ、コードレスかみそり器、コードレス歯ブラシ、または玩具であってもよい。
【０００６】
保護回路は、過温度検出器、コントローラ、および分圧回路を含むことができる。分圧回路は、１つの電池セル（または複数の電池セル）、電池充電器、または電池式デバイスの温度を監視するための少なくとも１つの多用途サーミスタを含むことができる。監視した温度が所定の値を超えた場合には、過温度検出器は、コントローラに対して、１つまたは複数の電池セルの充電および／または放電を中止するように信号を送ることができる。本発明に関しては、電圧または温度に対する「所定の値」という用語は、電圧または温度の所定の値の範囲であってもよいことを理解されたい。また、本発明は、単一セルおよび多重セルの双方の電池または電池パックに適用することができること、また以下の説明において「電池」、「電池セル」、または「電池パック」という用語が使用される場合には、上記意味に解釈すべきであることも理解されたい。さらに、サーミスタの両端に印加される電圧から導出される温度の値を出力するために、温度監視装置をサーミスタに動作可能に接続することができる。分圧回路は、また、電池式デバイス内に配置することができる抵抗を含むこともできる。
【０００７】
保護回路は、また、過充電検出器および第１の論理ゲートを含むこともできる。ＯＲゲートであってもよい第１の論理ゲートは、コントローラに動作可能に接続されている出力と、過温度検出器の出力に動作可能に接続されている第１の入力と、過充電検出器の出力に動作可能に接続されている第２の入力とを有することができる。第１の論理ゲートは、第１の論理ゲートが過温度検出器または過充電検出器から信号を受信した場合、コントローラに対して、電池セルの充電を中止するように信号を送ることができる。
【０００８】
保護回路は、さらにデバイス放電検出器を含むことができる。デバイス放電検出器は、電池セルから電池式デバイスに印加された電圧が、所定の値を下回る場合に、コントローラに対して、電池セルの放電を中止するように信号を送る。デバイス放電検出器は、また、電池式デバイスまたは電池セル・パック内への水の侵入、電池式デバイス内での内部回路の故障、電池式デバイス内でのソフトウェアの障害、または電池式デバイスの外部でのソフトウェアの障害のような特定の状態が発生した場合、電池セルの放電を中止させることができる。
【０００９】
過放電検出器、およびＡＮＤゲートであってもよい第２の論理ゲートを内蔵させることもできる。第２の論理ゲートは、コントローラに動作可能に接続されている出力と、デバイス放電検出器の出力に動作可能に接続されている第１の入力と、過放電検出器の出力に動作可能に接続されている第２の入力とを有することができる。第２の論理ゲートは、第２の論理ゲートが過温度検出器または過充電検出器から信号を受信した場合、コントローラに対して、電池セルの充電を中止する信号を送ることができる。
【００１０】
本発明は、また、電池式デバイスのデバイス保護を行う方法を含むことができる。この方法は、少なくとも１つの電池セルの電圧を監視するステップを含むことができる。さらに、電池セル、電池充電器、または電池式デバイスの温度をサーミスタにより監視することができる。サーミスタは、電池保護回路に印加される電圧または電池保護回路から供給される電圧を監視するためにも使用可能である。電池セルの充電および／または放電を、監視された温度が所定の値を超えた場合に中止することができる。この方法は、また、電池保護回路に印加される電圧または電池保護回路から供給される電圧が過度に高くなった場合、または過度に低くなった場合、電池セルの充電および／または放電を中止するステップを含むことができる。充電および／または放電は、また、電池セルにおいて測定された電圧が過度に高くなった場合、または過度に低くなった場合、中止することができる。
【発明を実施するための最良の形態】
【００１１】
本発明は、例えば、電池セル・パックにおける電池式デバイス（デバイス）と共に使用するための保護回路に関する。この保護回路は、過温度、過電圧、および電圧不足を検出するための多用途サーミスタ（サーミスタ）を備える分圧回路を含む。より詳細に説明すると、サーミスタは、デバイス、デバイスにエネルギーを供給している１つまたは複数の電池セル、および／または電池セル・パックにエネルギーを供給している電池充電デバイスの過温度状態を検出するために使用することができる。サーミスタは、また、デバイスに印加される電圧または電池充電デバイスから受け取られる電圧に相関する所定の電圧の値を供給することもできる。それ故、サーミスタは、過電圧、電圧不足、または過温度状態が発生した場合、保護回路に電池の充電および／または放電を中止させることができる。特に、複数の望ましくない状態に対して回路を保護するためにサーミスタを使用すると、回路設計者は、高性能であってしかもコストの安い保護回路の設計を非常に柔軟に行うことができる。サーミスタは、また、例えばＡ／Ｄ入力を介して電池の温度を監視するために、デバイス（例えば、ラジオなど）により使用することもできる（図１のアナログ−デジタル変換器１７０を参照されたい）。
【００１２】
図１を参照すると、この図は、電池５１および電池式デバイスまたは電池充電器５０と共に使用するための保護回路１００の回路図である。保護回路１００は、多用途サーミスタ（サーミスタ）１０２を含むことができる。サーミスタ１０２は、温度の変動に応じて変化する抵抗値を有する任意の温度感知抵抗であってもよい。サーミスタ１０２は、正の温度係数または負の温度係数を有することができる。好適な構成の場合には、サーミスタ１０２は、対応する温度変化が起こった場合、予測可能な電気抵抗の変化を示す。
【００１３】
サーミスタ１０２は、電池式デバイスおよび／または電池充電器５０の近くの１つまたは複数の電池セル１０４の近くに配置可能である。サーミスタ１０２は、電池の正の電圧端子（正の端子）１７６とシャーシ・アース１０８との間のプルアップ抵抗１０６に直列に接続可能である。それ故、サーミスタ１０２およびプルアップ抵抗１０６は、分圧回路を形成することができる。図の構成の場合には、プルアップ抵抗１０６は、デバイス５０に内蔵させることができる。しかしながら、本発明の場合、必ずしもそのようにしなくてもよい。例えば、プルアップ抵抗１０６を、サーミスタ１０２の近くの、あるいは保護回路１００の他の構成要素の近くの電池充電器または電池に内蔵させることができる。
【００１４】
図に示すように、プルアップ抵抗１０６は、正の端子１７６への低インピーダンス接続部を有し、サーミスタは、シャーシ・アース１０８への低インピーダンス接続部を有する。しかしながら、サーミスタ１０２およびプルアップ抵抗１０６の相対位置が、これとは違うものであってもよい。例えば、サーミスタ１０２は、正の端子１７６への低インピーダンス接続部を有することができ、プルアップ抵抗１０６は、シャーシ・アース１０８への低インピーダンス接続部を有することができる（この場合、プルアップ抵抗１０６は、プルダウン抵抗と呼ぶこともできる）。さらなる抵抗を分圧回路に追加することもでき、電池セル、電池充電器、または監視中のデバイスの温度を検出するためにサーミスタ１０２を監視することができる限り、任意の他の適当な回路配置構成を使用することができる。
【００１５】
サーミスタ１０２が正の温度係数を有している場合には、サーミスタ１０２の両端の電圧降下は、サーミスタ１０２の本体の温度が上昇するにつれて増大する。サーミスタ１０２が負の温度係数を有している場合には、サーミスタ１０２の両端の電圧降下は、サーミスタ１０２の本体の温度が高くなるにつれて小さくなる。いずれの場合も、サーミスタ１０２の両端の電圧降下を監視することができ、サーミスタ１０２の本体の温度が許容できる範囲を超えて高くなった場合には、過温度信号を生成することができる。
【００１６】
保護回路は、また、過温度検出器１１０およびデバイス放電検出器１１２を含むことができる。過温度検出器１１０およびデバイス放電検出器１１２は、それぞれサーミスタ１０２の両端の電圧降下を監視するとともに、電圧降下が所定の値以下および／または以上になった場合、出力信号を生成するように構成されている任意の適当な回路であってもよい。例えば、検出器１１０，１１２は、演算増幅器回路を含むコンパレータ回路であってもよい。このような回路は、当業者であれば周知のものである。図の例示としての構成の場合には、各検出器１１０，１１２は、ノード１８０におけるサーミスタ１０２とプルアップ抵抗１０６との連結部に動作可能に接続されている第１の入力１１４，１１６をそれぞれ有することができ、各検出器１１０，１１２は、各基準電圧１２２，１２４に動作可能に接続されている第２の入力１１８，１２０をそれぞれ有することができる。さらに、検出器１１０は、サーミスタ１０２の両端の電圧降下が基準電圧１２２より高いか、あるいは低いかを示す第１の検出器の出力信号１９０を出力するための出力ポート１２６を含むことができ、検出器１１２は、サーミスタ１０２の両端の電圧降下が基準電圧１２４より高いか、あるいは低いかを示す第２の検出器の出力信号１９２を出力するための出力ポート１２８を含むことができる。
【００１７】
出力ポート１２６，１２８は、コントローラ１３０に動作可能に接続されている。コントローラ１３０は、他の回路構成要素の動作を制御するのに適した任意の回路デバイスであってもよい。例えば、コントローラ１３０は、電界効果トランジスタ（ＦＥＴ：field effect transistor ）１３２およびＦＥＴ１３４のようなトランジスタの動作を制御するための制御信号を生成するプロセッサであってもよい。コントローラ１３０は、例えば、デバイスに電力を供給するため、電池セル１０４が放電できるようにするためにＦＥＴ１３２を作動させることができる。さらに、コントローラ１３０は、電池セル１０４を充電するためにＦＥＴ１３４を作動させることができる。さらに、コントローラ１３０は、必要に応じて、電池セル１０４の放電および／または充電を中止するために、それぞれＦＥＴ１３２および／またはＦＥＴ１３４の作動を中止することができる。当業者であれば理解することができるように、コントローラ１３０とＦＥＴ１３２，１３４との間に適当な回路を配置することができる。例えば、分配論理制御１３６およびＦＥＴ１３８を設けることができる。しかしながら、そのような回路によって、本発明が限定される訳ではない。
【００１８】
コントローラ１３０は、また、他の回路構成要素が生成した入力信号を受信することができる。コントローラ１３０は、ＦＥＴ１３２，１３４のような回路構成要素を制御するための制御信号を生成する際に、このような入力信号を評価することができる。例えば、コントローラ１３０は、過電流検出器１４０，１４２、短絡検出器１４４、過充電検出器１４６、過放電検出器１４８が生成した信号を受信することができる。この場合も、コントローラ１３０は、このような検出器のうちのどれかが望ましくない状態を検出した場合には、電池セル１０４の放電および／または充電を中止するために、ＦＥＴ１３２および／またはＦＥＴ１３４の作動を中止することができる。
【００１９】
保護回路１００は、また、コントローラの入力ライン１６０，１６２が２つ以上の検出器をそれぞれ監視することができるようにする論理ゲート１５０，１５２を含むこともできる。論理ゲート１５０，１５２は、ＡＮＤ，ＯＲ，ＮＡＮＤ，ＮＯＲ，ＸＡＮＤ，ＸＯＲまたは任意の他の適当な論理ゲートであってもよい。例えば、論理ゲート１５０は、過温度検出器１１０から第１の検出器の出力信号１９０を受信するための第１の入力、および過充電検出器１４６から第３の検出器の出力信号１９４を受信するための第２の入力を有するＯＲゲートであってもよい。通常の動作状態の場合には、第１の検出器の出力信号１９０および第３の検出器の出力信号１９４は、ロー・レベルであってもよく、それ故、論理ゲート１５０の出力はロー・レベルであってもよい。例えば、電池セルの電圧が、最大基準電圧より高いことを検出することにより、過充電検出器１４６が、電池１０４上で過充電状態を検出した場合には、過充電検出器１４６をハイ・レベルにトリガすることができ、それにより論理ゲート１５０の出力をハイ・レベルにトリガし、コントローラ１３０がＦＥＴ１３４をオフにして、電池セル１０４の充電を中止するために信号を送ることができる。最大基準電圧は、電池セル１０４に対する最大安全充電電圧であってもよい。例えば、最大基準電圧は４．３５ボルトであってもよい。さらに、過温度検出器１１０が、基準電圧１２２のような最大基準電圧より高い電圧をサーミスタ１０２の両端で検出した場合には、過温度検出器１１０が生成した第１の検出器の出力信号をハイ・レベルにトリガすることができ、それ故、論理ゲート１５０の出力をハイ・レベルにトリガすることができ、この場合も、ＦＥＴ１３４をオフにするようにコントローラに信号を送ることができる。
【００２０】
ここで、サーミスタ１０２の両端の過電圧は、電池充電器が保護回路１００に所定の最大電圧を超える充電電圧を出力していることを示している場合があるということに留意されたい。サーミスタ１０２の両端の過電圧はまた、電池セル、電池充電器、またはデバイス内の過温度状態を示している場合もある。それ故、温度監視装置を、サーミスタ１０２に動作可能に接続することができる。温度監視装置は、サーミスタ１０２両端の電圧を測定し、測定した電圧からの温度の値を出力することができる。
【００２１】
１つの構成の場合には、論理ゲート１５２は、デバイス放電検出器１１２から第２の検出器の出力信号１９２を受信するための第１の入力と、過放電検出器１４８から第４の検出器の出力信号１９６を受信するための第２の入力とを有するＡＮＤゲートであってもよい。通常の動作状態の場合には、第２の検出器の出力信号１９２および第４の検出器の出力信号１９６は、ハイ・レベルであってもよいし、そのため論理ゲート１５２の出力は、ハイ・レベルであってもよい。過放電検出器１４６が、電池セル１０４の電圧が、最小基準電圧よりも低いことを検出した場合には、過放電検出器１４６の出力はロー・レベルにトリガされ、それにより論理ゲート１５２がロー・レベルにトリガされ、電池セル１０４の放電を中止するためにＦＥＴ１３２をオフにするようにコントローラ１３０に信号が送られる。最小基準電圧は、電池セル１０４を損傷しないで、電池セル１０４を安全に放電することができる最小電圧レベルであってもよい。例えば、最小基準電圧は、２．４ボルトであってもよい。同様に、デバイス放電検出器１１２が、最小基準電圧より低い電圧をサーミスタ１０２の両端で検出した場合には、デバイス放電検出器１１２の出力をロー・レベルにトリガすることができ、この場合も、ＦＥＴ１３２をオフにするためにコントローラ１３０に信号が送られる。
【００２２】
種々の状態が、サーミスタ１０２の両端の電圧を最小基準電圧以下にする場合がある。例えば、デバイスに供給された電圧が所定の値より低い場合に、電圧が最小基準電圧より低くなる場合がある。このようなことは、過度に放電され、故障を起こした回路または電池により起こる場合がある。さらに、アナログ−デジタル変換器（Ａ／Ｄ：analog to digital converter ）１７０または入力／出力モジュール（Ｉ／Ｏ：input /output module）１７２を、外部の故障検出センサに動作可能に接続することができる。例えば、Ｉ／Ｏ１７２を、水の侵入検出器に接続することができる。デバイス内で水の侵入が検出された場合には、Ｉ／Ｏ１７２は、ノード１８０における電圧をロー・レベルにトリガすることができ、それによりデバイス放電検出器１１２の出力をロー・レベルにトリガすることができ、そのためサーミスタ１０２の両端の電圧が低くなる。さらに、Ｉ／Ｏ１７２を、ノード１８０における電圧を特定の状況下でロー・レベルまたはハイ・レベルにする外部センサおよび／または回路に動作可能に接続することができる。例えば、外部回路は、デバイスに、例えば回路故障のような故障が発生した場合、またはソフトウェアに障害が発生した場合、Ｉ／Ｏ１７２にノード１８０における電圧をロー・レベルにトリガさせることができる。ソフトウェアの障害は、デバイス内のものであってもデバイスの外部のものであってもよい。それ故、１つのノード１８０（およびサーミスタ）は多数の目的のために使用可能である。例えば、回路１００による過温度制御、デバイス５０による温度監視、過温度イベントに電池５１の充電を強制的に中止させることによる、回路１００上のデバイス５０による温度イベントのトリガ、あるいは例えば、デバイス５０が水の侵入、回路の故障またはソフトウェアの障害を検出した場合に、デバイス５０から電池５１を切り離すための、回路１００上のデバイス５０による過放電イベントのトリガのような多数の目的である。
【００２３】
図２を参照すると、この図は、本発明による電池の保護を行うための方法を示すフローチャート２００である。ステップ２０５から開始され、このステップにおいて、１つまたは複数の電池セルの電圧を監視することができる。１つまたは複数の電池セルの電圧が所定の最大値より高い場合、または所定の最小値より低い場合には、判定ボックス２１０およびステップ２４０に示すように、電池セルの充電および／または放電を中止することができる。電池セルの温度も、ステップ２１５に示すようにサーミスタにより監視することができる。さらに、他の構成要素の温度も同様に監視することができる。例えば、電池式デバイスまたは電池充電器の温度を監視することができる。電池セル、電池充電器、または電池式デバイスが監視されているか否かによらず、温度が判定ボックス２２０およびステップ２４０に示すように、所定の値を超えた場合には、電池セルの充電および／または放電を中止することができる。ステップ２２５に進んでから、電池保護回路に供給する電圧または電池保護回路から供給される電圧を監視するために、サーミスタを使用することもできる。ステップ２３０に進んだ場合、電圧が高すぎたり、低すぎたりする場合には、電池の充電および／または放電を中止することができる。このプロセスは、電池セル、電池式デバイス、または電池充電器が過温度、過電圧、または電圧不足のような状態になるまで継続して行われる。また、保護回路をオフにすると、このプロセスが終了する。例えば、デバイスがオフになった場合、保護回路を自動的にオフにすることができる。
【００２４】
本発明の好ましい実施形態を図示し、説明してきたが、本発明はこれらの好ましい実施形態に制限されないことは明らかである。当業者であれば、特許請求の範囲に記載する本発明の技術思想および範囲から逸脱することなく、多数の修正、変更、変形、置換、および均等物使用を想起することができるだろう。
【図面の簡単な説明】
【００２５】
【図１】本発明による電池式デバイスにおいて使用するための保護回路の回路図。
【図２】本発明による電池保護を行うための方法を示すフローチャート。
【図１】
0004820944.tif 000002
【図２】
0004820944.tif 000003